【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
鍵盤の押鍵された鍵の音を発音させ、離鍵された鍵の音を消音する電子楽器において、
オフ状態からオン状態に遷移するペダルオン操作またはオン状態からオフ状態に遷移するペダルオフ操作が行われる登録ペダルと、
前記登録ペダルがペダルオン操作されてからペダルオフ操作される迄の間に押鍵された鍵の音を発音させずに押鍵音として記憶手段に登録する押鍵音登録手段と、
前記登録ペダルのペダルオフ操作に同期して前記押鍵音登録手段により記憶手段に登録された押鍵音を発音させ、離鍵される鍵の音に同期して前記押鍵音登録手段により記憶手段に登録された押鍵音を消音させる発音制御手段と
を具備することを特徴とする電子楽器。
【請求項２】
鍵盤の押鍵された鍵の音を発音させ、離鍵された鍵の音を消音する電子楽器において、
オフ状態からオン状態に遷移するペダルオン操作およびオン状態からオフ状態に遷移するペダルオフ操作が行われる登録ペダルおよび再生ペダルと、
前記登録ペダルがペダルオン操作されてからペダルオフ操作される迄の間に押鍵された鍵の音を発音させずに押鍵音として記憶手段に登録する押鍵音登録手段と、
前記再生ペダルのペダルオン操作に同期して前記押鍵音登録手段により記憶手段に登録された押鍵音を発音させ、離鍵される鍵の音に同期して前記押鍵音登録手段により記憶手段に登録された押鍵音を消音させる発音制御手段と
を具備することを特徴とする電子楽器。
【手続補正２】
【補正対象書類名】明細書
【補正対象項目名】０００５
【補正方法】変更
【補正の内容】
【０００５】
上記目的を達成するため、請求項１に記載の発明では、鍵盤の押鍵された鍵の音を発音させ、離鍵された鍵の音を消音する電子楽器において、オフ状態からオン状態に遷移するペダルオン操作またはオン状態からオフ状態に遷移するペダルオフ操作が行われる登録ペダルと、前記登録ペダルがペダルオン操作されてからペダルオフ操作される迄の間に押鍵された鍵の音を発音させずに押鍵音として記憶手段に登録する押鍵音登録手段と、前記登録ペダルのペダルオフ操作に同期して前記押鍵音登録手段により記憶手段に登録された押鍵音を発音させ、離鍵される鍵の音に同期して前記押鍵音登録手段により記憶手段に登録された押鍵音を消音させる発音制御手段とを具備することを特徴とする。
【手続補正３】
【補正対象書類名】明細書
【補正対象項目名】０００６
【補正方法】変更
【補正の内容】
【０００６】
請求項２に記載の発明では、鍵盤の押鍵された鍵の音を発音させ、離鍵された鍵の音を消音する電子楽器において、オフ状態からオン状態に遷移するペダルオン操作およびオン状態からオフ状態に遷移するペダルオフ操作が行われる登録ペダルおよび再生ペダルと、前記登録ペダルがペダルオン操作されてからペダルオフ操作される迄の間に押鍵された鍵の音を発音させずに押鍵音として記憶手段に登録する押鍵音登録手段と、前記再生ペダルのペダルオン操作に同期して前記押鍵音登録手段により記憶手段に登録された押鍵音を発音させ、離鍵される鍵の音に同期して前記押鍵音登録手段により記憶手段に登録された押鍵音を消音させる発音制御手段とを具備することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項１に記載の発明によれば、登録ペダルがペダルオン操作されてからペダルオフ操作される迄の間に押鍵された鍵の音を発音させずに押鍵音として記憶手段に登録しておき、登録ペダルのペダルオフ操作に同期して記憶手段に登録された押鍵音を発音させ、離鍵される鍵の音に同期して記憶手段に登録された押鍵音を消音させるので、両手で一度に弾ける音数や音域の制約を無くし、多数の音で広い音域の和音演奏を行うことができる。
【手続補正７】
【補正対象書類名】明細書
【補正対象項目名】００１０
【補正方法】変更
【補正の内容】
【００１０】
請求項２に記載の発明によれば、登録ペダルがペダルオン操作されてからペダルオフ操作される迄の間に押鍵された鍵の音を発音させずに押鍵音として記憶手段に登録しておき、再生ペダルのペダルオン操作に同期して記憶手段に登録された押鍵音を発音させ、離鍵される鍵の音に同期して記憶手段に登録された押鍵音を消音させるので、両手で一度に弾ける音数や音域の制約を無くし、多数の音で広い音域の和音演奏を行うことができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００３６
【補正方法】変更
【補正の内容】
【００３６】
登録ペダルが踏み込まれてペダルオフ状態からペダルオン状態に遷移するペダルオン操作が行われると、ステップＳＥ３の判断結果が「ＹＥＳ」になり、ステップＳＥ５に進む。ステップＳＥ５では、フラグＰＲが「０」、つまり再生ペダル（ソステヌートペダル２ａ）側がペダルオフ状態であるか否かを判断する。ここで、再生ペダル側がペダルオン状態（フラグＰＲ＝１）であると、判断結果は「ＮＯ」となり、本処理を完了させる。したがって、再生ペダル側がペダルオン状態であれば、登録ペダルのペダルオン操作を無効化する。
【手続補正１１】
【補正対象書類名】明細書
【補正対象項目名】００５７
【補正方法】変更
【補正の内容】
【００５７】
一方、再生停止指示が発生していると、上記ステップＳＧ１５の判断結果が「ＹＥＳ」になり、図１０に図示するステップＳＧ２７に処理を進める。ステップＳＧ２７では、前述のステップＳＧ６においてレジスタＫＤに格納した鍵番号ｋ（発音させた押鍵音の鍵番号ｋ）が、離鍵された鍵の鍵番号ｋに一致するか、つまり直近に押鍵された鍵が離鍵されたか否かを判断する。離鍵されてなければ、ここでの判断結果は「ＮＯ」になり、図８に図示するステップＳＧ８に処理を進めて鍵番号ｋを歩進させる。
【手続補正１２】
【補正対象書類名】明細書
【補正対象項目名】００５８
【補正方法】変更
【補正の内容】
【００５８】
これに対し、押鍵されていた鍵が離鍵されたのであれば、上記ステップＳＧ２７の判断結果が「ＹＥＳ」になり、ステップＳＧ２８に進む。ステップＳＧ２８〜ＳＧ３３では、スタートアドレスからアドレスＡＤを歩進させながら、レジスタＮＯＴＥ（ＡＤ）からレジスタ登録した押鍵音の鍵番号ｋを読み出し、読み出した鍵番号ｋに基づき作成したノートオフイベントを音源８に送付する。これにより、発音させた押鍵音の消音に同期させる形でレジスタ登録した押鍵音が消音される。
【手続補正１３】
【補正対象書類名】明細書
【補正対象項目名】００６３
【補正方法】変更
【補正の内容】
【００６３】
すると、登録ペダルのペダルオン操作に応じて、フラグＯＮＴＦが「０」にセットされる為、押鍵された３音のアルペジオ音は発音されずにレジスタ登録される。そして、和音Ａを演奏するタイミングｔ２において、登録ペダルをペダルオフ操作して和音Ａの各構成音を演奏する。前述したように、登録ペダルがペダルオフ操作されるとレジスタ登録した押鍵音を発音させ、離鍵された鍵の音に同期してレジスタ登録した押鍵音を消音させるようになっている。
【手続補正１４】
【補正対象書類名】明細書
【補正対象項目名】００６４
【補正方法】変更
【補正の内容】
【００６４】
したがって、和音Ａの各構成音を押鍵すると、押鍵された和音Ａの各構成音を発音させると共に、レジスタ登録した３音のアルペジオ音が順次発音される。そして、和音Ａの各構成音を離鍵すると、離鍵された和音Ａの各構成音を消音させると共に、これら構成音の内で最も遅く押鍵された鍵が離鍵されたタイミングに同期する形でレジスタ登録した３音のアルペジオ音が順次消音される。この結果、図１１（ｂ）の楽譜に表記したように、あたかも３音のアルペジオ音を含む和音Ａが同時演奏されるようになる。
【手続補正１５】
【補正対象書類名】明細書
【補正対象項目名】００６８
【補正方法】変更
【補正の内容】
【００６８】
そして、和音Ａを演奏した後のタイミングｔ３において再生ペダル（ソステヌートペダル２ａ）をペダルオン操作し、和音Ｃを演奏した後のタイミングｔ４において再生ペダルをペダルオフ操作する。前述したように、再生ペダルがペダルオン状態に設定されていると、押鍵された鍵の音と共にレジスタ登録した押鍵音を発音させ、離鍵された鍵の音に同期させてレジスタ登録した押鍵音を消音させるようになっている。
【手続補正１６】
【補正対象書類名】明細書
【補正対象項目名】００６９
【補正方法】変更
【補正の内容】
【００６９】
したがって、和音Ｂの各構成音を押鍵すると、押鍵された和音Ｂの各構成音を発音させると共に、レジスタ登録した４音のアルペジオ音が発音される。そして、和音Ｂの各構成音を離鍵すると、離鍵された和音Ｂの各構成音を消音させると共に、これら構成音の内で最も遅く押鍵された鍵が離鍵されたタイミングに同期する形でレジスタ登録した４音のアルペジオ音が消音される。
【手続補正１７】
【補正対象書類名】明細書
【補正対象項目名】００７１
【補正方法】変更
【補正の内容】
【００７１】
以上説明したように、本実施形態では、登録ペダルのペダルオン操作に応じて、押鍵された音を発音させずにレジスタ登録しておき、登録ペダルがペダルオフ操作されるか、あるいは再生ペダルがペダルオン状態に設定されると、レジスタ登録した押鍵音を発音させ、離鍵された鍵の音に同期してレジスタ登録した押鍵音を消音させることによって、両手で一度に弾ける音数や音域の制約を無くし、多数の音で広い音域の和音演奏を行うことが可能になる。